(57)【要約】【課題】ディスプレイパネルの点灯検査を行う際に、製品時のディスプレイパネルの表示品位を実現し、検査精度を向上させる。【解決手段】ディスプレイパネル１を駆動する点灯信号発生手段７および駆動電圧供給手段８と、点灯信号発生手段７および駆動電圧供給手段８を取り付ける導電性の回路取り付け部材４と、ディスプレイパネル１の電極端子に接触して駆動電圧供給手段８の出力を供給する複数の端子を有する信号取り出し手段１２と、ディスプレイパネル１に信号取り出し手段１２を押し付けてディスプレイパネル１の電極端子に信号取り出し手段１２の端子を接触させる点灯信号印加手段５とを備え、回路取り付け部材４と駆動電圧供給手段８との間に導電体板（グランド補助手段１５）を配設するとともに、駆動電圧供給手段８のグランドが導電体板（グランド補助手段１５）を介して回路取り付け部材４に電気的に接続されている。【選択図】図３
2005114396.tif 000002
【特許請求の範囲】
【請求項１】
複数の電極端子を有するディスプレイパネルの点灯検査装置において、ディスプレイパネルを駆動する点灯信号発生手段および駆動電圧供給手段と、前記点灯信号発生手段および前記駆動電圧供給手段を取り付ける導電性の回路取り付け部材と、前記ディスプレイパネルの電極端子に接触して前記駆動電圧供給手段の出力を供給する複数の端子を有する信号取り出し手段と、前記ディスプレイパネルに前記信号取り出し手段を押し付けて前記ディスプレイパネルの電極端子に前記信号取り出し手段の端子を接触させる点灯信号印加手段とを備え、前記回路取り付け部材と前記駆動電圧供給手段との間に導電体板を配設するとともに、前記駆動電圧供給手段のグランドが前記導電体板を介して前記回路取り付け部材に電気的に接続されたことを特徴とするディスプレイパネルの点灯検査装置。
【請求項２】
導電体板は、前記駆動電圧供給手段に対応する大きさであることを特徴とする請求項１に記載のディスプレイパネルの点灯検査装置。
【請求項３】
回路取り付け部材および駆動電圧供給手段のそれぞれとの間に導電性の取り付け手段を介して導電体板を配設し、前記駆動電圧供給手段のグランドが前記取り付け手段によって前記導電体板を介して前記回路取り付け部材に電気的に接続されたことを特徴とする請求項１に記載のディスプレイパネルの点灯検査装置。
【請求項４】
取り付け手段および導電体板が銅製であることを特徴とする請求項３に記載のディスプレイパネルの点灯検査装置。
【請求項５】
複数の電極端子を有するディスプレイパネルの点灯検査装置において、ディスプレイパネルを駆動する点灯信号発生手段および駆動電圧供給手段と、前記点灯信号発生手段および前記駆動電圧供給手段を取り付ける導電性の回路取り付け部材と、前記ディスプレイパネルの電極端子に接触して前記駆動電圧供給手段の出力を供給する複数の端子を有する信号取り出し手段と、前記ディスプレイパネルに前記信号取り出し手段を押し付けて前記ディスプレイパネルの電極端子に前記信号取り出し手段の端子を接触させる点灯信号印加手段とを備え、前記駆動電圧供給手段と前記点灯信号発生手段とが部分的に重なるように且つ前記点灯信号発生手段よりも前記駆動電圧供給手段の方が前記回路取り付け部材に近づいて位置するように配置するとともに、前記点灯信号発生手段および前記駆動電圧供給手段のグランドを前記回路取り付け部材に電気的に接続したことを特徴とするディスプレイパネルの点灯検査装置。
【請求項６】
点灯信号発生手段および駆動電圧供給手段は導電性の取り付け手段によって回路取り付け部材に固定され、前記取り付け手段によって前記点灯信号発生手段および前記駆動電圧供給手段のグランドを前記回路取り付け部材に電気的に接続したことを特徴とする請求項５に記載のディスプレイパネルの点灯検査装置。
【請求項７】
取り付け手段が銅製であることを特徴とする請求項６に記載のディスプレイパネルの点灯検査装置。
【発明の詳細な説明】
【技術分野】
【０００１】
本発明は、プラズマディスプレイなどのディスプレイパネルに駆動回路を実装する前に、ディスプレイパネルに点灯信号を入力して表示することで画像品質検査を行うディスプレイパネルの点灯検査装置に関するものである。
【背景技術】
【０００２】
一般に、液晶ディスプレイやプラズマディスプレイなどのフラットディスプレイはパネルに駆動回路が実装され製品化される。製造工程では、実装工程への不良パネルの流出を防ぐため、駆動回路実装前にパネルに点灯信号を入力し、点灯検査を行っている。
【０００３】
この種のディスプレイパネルの点灯検査装置として、検査用プローブピンを用いたもの（例えば特許文献１参照）が知られているが、この検査用プローブピンに代えて、フレキシブルプリント配線板（ＦＰＣ）に形成した電極を点灯検査用のプローブとして用いることも考えられている。
【特許文献１】特許第２９５３０３９号公報
【発明の開示】
【発明が解決しようとする課題】
【０００４】
本発明は、このようなディスプレイパネルの点灯検査を行う際に、製品時のディスプレイパネルの表示品位を実現し、検査精度を向上させることを目的とする。
【課題を解決するための手段】
【０００５】
上記目的を達成するために、本発明は、複数の電極端子を有するディスプレイパネルの点灯検査装置において、ディスプレイパネルを駆動する点灯信号発生手段および駆動電圧供給手段と、前記点灯信号発生手段および前記駆動電圧供給手段を取り付ける導電性の回路取り付け部材と、前記ディスプレイパネルの電極端子に接触して前記駆動電圧供給手段の出力を供給する複数の端子を有する信号取り出し手段と、前記ディスプレイパネルに前記信号取り出し手段を押し付けて前記ディスプレイパネルの電極端子に前記信号取り出し手段の端子を接触させる点灯信号印加手段とを備え、前記回路取り付け部材と前記駆動電圧供給手段との間に導電体板を配設するとともに、前記駆動電圧供給手段のグランドが前記導電体板を介して前記回路取り付け部材に電気的に接続されたことを特徴とするディスプレイパネルの点灯検査装置である。
【発明の効果】
【０００６】
本発明のディスプレイパネルの点灯検査装置では、ディスプレイパネルの点灯検査を行う際に、製品時のディスプレイパネルの表示品位を実現することが可能で、これにより、高精度の点灯検査を行うことができる。
【発明を実施するための最良の形態】
【０００７】
本発明の請求項１に記載の発明は、複数の電極端子を有するディスプレイパネルの点灯検査装置において、ディスプレイパネルを駆動する点灯信号発生手段および駆動電圧供給手段と、前記点灯信号発生手段および前記駆動電圧供給手段を取り付ける導電性の回路取り付け部材と、前記ディスプレイパネルの電極端子に接触して前記駆動電圧供給手段の出力を供給する複数の端子を有する信号取り出し手段と、前記ディスプレイパネルに前記信号取り出し手段を押し付けて前記ディスプレイパネルの電極端子に前記信号取り出し手段の端子を接触させる点灯信号印加手段とを備え、前記回路取り付け部材と前記駆動電圧供給手段との間に導電体板を配設するとともに、前記駆動電圧供給手段のグランドが前記導電体板を介して前記回路取り付け部材に電気的に接続されたことを特徴とするディスプレイパネルの点灯検査装置である。
【０００８】
また、請求項２に記載の発明は、請求項１に記載の発明において、導電体板は、前記駆動電圧供給手段に対応する大きさであることを特徴とする。
【０００９】
また、請求項３に記載の発明は、請求項１に記載の発明において、回路取り付け部材および駆動電圧供給手段のそれぞれとの間に導電性の取り付け手段を介して導電体板を配設し、前記駆動電圧供給手段のグランドが前記取り付け手段によって前記導電体板を介して前記回路取り付け部材に電気的に接続されたことを特徴とする。
【００１０】
さらに、請求項４に記載の発明は、請求項３に記載の発明において、取り付け手段および導電体板が銅製であることを特徴とする。
【００１１】
本発明の請求項５に記載の発明は、複数の電極端子を有するディスプレイパネルの点灯検査装置において、ディスプレイパネルを駆動する点灯信号発生手段および駆動電圧供給手段と、前記点灯信号発生手段および前記駆動電圧供給手段を取り付ける導電性の回路取り付け部材と、前記ディスプレイパネルの電極端子に接触して前記駆動電圧供給手段の出力を供給する複数の端子を有する信号取り出し手段と、前記ディスプレイパネルに前記信号取り出し手段を押し付けて前記ディスプレイパネルの電極端子に前記信号取り出し手段の端子を接触させる点灯信号印加手段とを備え、前記駆動電圧供給手段と前記点灯信号発生手段とが部分的に重なるように且つ前記点灯信号発生手段よりも前記駆動電圧供給手段の方が前記回路取り付け部材に近づいて位置するように配置するとともに、前記点灯信号発生手段および前記駆動電圧供給手段のグランドを前記回路取り付け部材に電気的に接続したことを特徴とするディスプレイパネルの点灯検査装置である。
【００１２】
また、請求項６に記載の発明は、請求項５に記載の発明において、点灯信号発生手段および駆動電圧供給手段は導電性の取り付け手段によって回路取り付け部材に固定され、前記取り付け手段によって前記点灯信号発生手段および前記駆動電圧供給手段のグランドを前記回路取り付け部材に電気的に接続したことを特徴とする。
【００１３】
さらに、請求項７に記載の発明は、請求項６に記載の発明において、取り付け手段が銅製であることを特徴とする。
【００１４】
以下、本発明の一実施の形態について、図面を参照しつつ説明する。
【００１５】
（実施の形態１）
図１は、本発明の実施の形態１におけるディスプレイパネルの点灯検査装置の全体構成を示している。図１において、１はプラズマディスプレイパネル（ＰＤＰ）などのディスプレイパネルで、複数の電極が形成された一対のガラス基板を対向配置して構成されており、このディスプレイパネル１の周辺端部には、電極を延長することにより形成された複数の電極端子からなる電極端子ブロックが複数配置されている。
【００１６】
図１において、２はディスプレイパネル１の点灯検査を行うときにディスプレイパネル１が配置される全体ベース部であり、この全体ベース部２上には、ディスプレイパネル１の４隅を保持するパネル保持手段３が配設され、さらに、表面側にディスプレイパネル１を載置するとともに裏面側にディスプレイパネル１の点灯信号を発生する回路を取り付けるための回路取り付け部材４が配設されている。回路取り付け部材４は金属製で導電性を有しており、例えばアルミニウムなどからなる。また、ディスプレイパネル１の電極端子ブロックが形成された辺に対応する位置には、ディスプレイパネル１に点灯信号を印加するための点灯信号印加手段５、６が配設されている。
【００１７】
図２は回路取り付け部材４を裏面側から見たときの概略平面図である。図２に示すように、回路取り付け部材４の裏面には、ディスプレイパネル１を点灯させるための点灯信号発生手段７、駆動電圧供給手段８、９が配設されている。点灯信号発生手段７は、信号転送手段１０を介して駆動電圧供給手段８に、信号転送手段１１を介して駆動電圧供給手段９にそれぞれ電気的に接続されており、駆動電圧供給手段８、９は点灯信号発生手段７からの信号に基づいてディスプレイパネル１を点灯させる駆動電圧を出力する。そして駆動電圧供給手段８の出力は信号取り出し手段１２によって、駆動電圧供給手段９の出力は信号取り出し手段１３によってディスプレイパネル１の電極端子に印加される。信号取り出し手段１２、１３は例えばフレキシブルプリント配線板（ＦＰＣ）によって構成され、ディスプレイパネル１の電極端子と接触して駆動電圧供給手段８、９の出力を供給するための端子を有している。ＰＤＰのようなディスプレイパネル１では、駆動電圧供給手段８、９は振幅が５０Ｖ以上で周波数が１ｋＨｚ以上の高圧パルスを発生するものであり、点灯信号発生手段７は駆動電圧供給手段８、９に比べて低い電圧で動作するものである。
【００１８】
図３は、点灯信号印加手段５が配置されたディスプレイパネル１の短辺側の端部側面を示しており、図４は、点灯信号印加手段６が配置されたディスプレイパネル１の長辺側の端部側面を示している。図３、図４は、ディスプレイパネル１を回路取り付け部材４上に載置したとき、ディスプレイパネル１の周辺端部に形成された電極端子が、短辺側ではガラス基板の下面側に位置し、長辺側ではガラス基板の上面側に位置する場合を示しており、信号取り出し手段１２、１３は、これらの電極端子と接触するように構成されている。
【００１９】
図３に示すように、回路取り付け部材４の裏面側には、点灯信号発生手段７が取り付け手段１４によって取り付けられ、グランド補助手段１５が取り付け手段１６によって取り付けられている。また、グランド補助手段１５上には取り付け手段１７によって駆動電圧供給手段８が取り付けられており、点灯信号発生手段７と駆動電圧供給手段８とは信号転送手段１０によって電気的に接続されている。グランド補助手段１５は銅などの金属製の板からなる導電体板であり、その大きさは駆動電圧供給手段８の回路基板の大きさと同程度、すなわち駆動電圧供給手段８に対応する大きさである。そして、取り付け手段１４、１６、１７は銅製であって導電性を有しており、駆動電圧供給手段８のグランドは、取り付け手段１７、グランド補助手段１５、取り付け手段１６を介して回路取り付け部材４に電気的に接続され、点灯信号発生手段７のグランドは取り付け手段１４を介して回路取り付け部材４に電気的に接続されている。
【００２０】
また点灯信号印加手段５は、信号取り出し手段１２の端部を保持する保持手段１８と、ディスプレイパネル１の電極端子と信号取り出し手段１２の端子とを接触させて保持するための押えユニット１９および受けユニット２０と、ユニット制御手段２１とにより構成されており、保持手段１８、押えユニット１９、受けユニット２０およびユニット制御手段２１は一体的に全体ベース部２上を矢印２２の方向に移動できるようになっている。押えユニット１９および受けユニット２０は先端部が開閉自在となるように軸支されており、押えユニット１９および受けユニット２０をユニット制御手段２１で回動させて、信号取り出し手段１２をディスプレイパネル１に押しつけることにより、駆動電圧供給手段８の出力が、信号取り出し手段１２を介してディスプレイパネル１の電極端子に供給されるように構成されている。
【００２１】
また図４に示すように、回路取り付け部材４の裏面側には、点灯信号発生手段７が取り付け手段１４によって取り付けられ、グランド補助手段２３が取り付け手段２４によって取り付けられている。また、グランド補助手段２３上には取り付け手段２５によって駆動電圧供給手段９が取り付けられており、点灯信号発生手段７と駆動電圧供給手段９とは信号転送手段１１によって電気的に接続されている。グランド補助手段２３は銅などの金属製の板からなる導電体板であり、その大きさは駆動電圧供給手段９の回路基板の大きさと同程度、すなわち駆動電圧供給手段９に対応する大きさである。そして、取り付け手段２４、２５は銅製であって導電性を有しており、駆動電圧供給手段９のグランドは、取り付け手段２５、グランド補助手段２３、取り付け手段２４を介して回路取り付け部材４に電気的に接続されている。
【００２２】
また点灯信号印加手段６は、信号取り出し手段１３の端部近傍を保持する保持手段２６と、ディスプレイパネル１の電極端子と信号取り出し手段１３の端子とを接触させて保持するための押えユニット２７および受けユニット２８と、ユニット制御手段２９とにより構成されており、保持手段２６、押えユニット２７、受けユニット２８およびユニット制御手段２９は一体的に全体ベース部２上を矢印３０の方向に移動できるようになっている。押えユニット２７および受けユニット２８は先端部が開閉自在となるように軸支されており、押えユニット２７および受けユニット２８をユニット制御手段２９で回動させて、信号取り出し手段１３をディスプレイパネル１に押しつけることにより、駆動電圧供給手段９の出力が、信号取り出し手段１３を介してディスプレイパネル１の電極端子に供給されるように構成されている。
【００２３】
次に、上記構成の点灯検査装置の動作について説明する。
【００２４】
まず、点灯検査対象のディスプレイパネル１をパネル保持手段３に装着するときに、点灯信号印加手段５、６とディスプレイパネル１との干渉を避けるため、点灯信号印加手段５、６を回路取り付け部材４から離れる方向に移動させるとともに、押えユニット１９と受けユニット２０とを開いた状態にし、押えユニット２７と受けユニット２８とを開いた状態にする。この状態で、ディスプレイパネル１をパネル保持手段３に装着して回路取り付け部材４上に載置した後、点灯信号印加手段５、６をディスプレイパネル１に近づく方向に移動させ、押えユニット１９と受けユニット２０とによってディスプレイパネル１の端部と信号取り出し手段１２の端部を挟み込み、押えユニット２７と受けユニット２８とによってディスプレイパネル１の端部と信号取り出し手段１３の端部を挟み込む。これにより、ディスプレイパネル１の電極端子と信号取り出し手段１２、１３の端子とが接触した状態で保持される。
【００２５】
以上の動作の後、信号取り出し手段１２、１３を介して駆動電圧供給手段８、９の出力をディスプレイパネル１の電極端子に印加し、点灯表示して点灯検査を行う。点灯検査が終了すると、押えユニット１９と受けユニット２０とを開いた状態にするとともに、押えユニット２７と受けユニット２８とを開いた状態にした後、点灯信号印加手段５、６をディスプレイパネル１から離れる方向に移動させ、ディスプレイパネル１をパネル保持手段３および回路取り付け部材４から取り外す。以降は、上記と同じ動作により点灯検査対象のディスプレイパネル１を交換し、点灯検査を繰り返し行う。
【００２６】
ところで、ディスプレイパネル１の点灯検査を行う場合、製品にしたときの表示状態と同等の表示状態が得られるようにして点灯検査を行うことが好ましい。ディスプレイパネル１を用いた製品である表示装置では、回路のグランドとして機能する金属製のシャーシの表面側にディスプレイパネル１を装着し、シャーシの裏面側に点灯信号発生手段７、駆動電圧供給手段８、９などが配設されており、製品においてはディスプレイパネル１に印加する電圧波形の歪みを抑えるため点灯信号発生手段７、駆動電圧供給手段８、９はシャーシ面にできるだけ近くなるように配置され、駆動電圧供給手段８、９はディスプレイパネル１の電極端子に近い位置に配置されている。
【００２７】
点灯検査において製品と同等画質を得るためには、ディスプレイパネル１に印加する電圧波形をできるだけ製品に近い状態にする必要があるため、点灯信号発生手段７の取り付け手段や駆動電圧供給手段８、９の取り付け手段は製品のそれとインピーダンスを一致させるべく同一長とするのが理想であり、このような点灯検査装置を実現するためには、例えばディスプレイパネル１の短辺側では図５のような構成となる。すなわち、点灯信号発生手段７、駆動電圧供給手段８の取り付け手段３１、３２は製品と同様に短く設定されることになるが、点灯信号印加手段５がディスプレイパネル１から離れる方向に移動できるようにするために、信号取り出し手段１２を長くする必要がある。このため、図５のように、点灯信号印加手段５を所定の位置までディスプレイパネル１に近づけると、信号取り出し手段１２が点灯信号印加手段５の一部と接触し、信号取り出し手段１２がずれてディスプレイパネル１の電極端子と信号取り出し手段１２の端子との所望の接触が困難となる。
【００２８】
本実施の形態においては、駆動電圧供給手段８、９を回路取り付け部材４から所定の距離だけ離すことができるとともに、駆動電圧供給手段８とグランド補助手段１５との距離および駆動電圧供給手段９とグランド補助手段２３との距離を、製品における駆動電圧供給手段８、９とシャーシ面との距離と同等に設定することができる。
【００２９】
このような構成によれば、図３のように駆動電圧供給手段８を配置することによって、信号取り出し手段１２が点灯信号印加手段５の一部と接触しないようにすることができる。そして、駆動電圧供給手段８のグランドと回路取り付け部材４との導通が低インピーダンスの銅製の取り付け手段１６、１７で図られており、駆動電圧供給手段８のグランドインピーダンスを低く抑えることができる。さらに、駆動電圧供給手段８と回路取り付け部材４との間にグランド電位のグランド補助手段１５を挿入していることにより、駆動電圧供給手段８の高圧パルス供給ラインとそのグランドプレーンとして作用するグランド補助手段１５との距離を小さくすることができ、高圧パルス供給ラインのインダクタンスを小さくすることができる。この効果は、同様の構成である図４に示す駆動電圧供給手段９についても得ることができる。このため、製品の場合と同等の印加電圧波形をディスプレイパネル１へ印加して点灯検査を行うことができ、ディスプレイパネルの点灯検査装置において製品時の表示品位を実現することが可能である。これにより、ディスプレイパネルの点灯検査の高精度化が図られ、後の工程への不良パネルの流出が防止でき、製造工程でのロスコストを大幅に低減することができる。
【００３０】
また、本実施の形態１において、取り付け手段１４、１６、１７、２４、２５とグランド補助手段１５、２３について各々銅と同等もしくはそれ以下の導電率の材料を用いても同様の効果を得ることができる。
【００３１】
（実施の形態２）
本発明の実施の形態２におけるフラットパネルディスプレイ点灯検査装置について図６、図７を用いて説明する。図６は、点灯信号印加手段５が配置されたディスプレイパネル１の短辺側の端部側面を示しており、図７は点灯信号印加手段６が配置されたディスプレイパネル１の長辺側の端部側面を示している。図１〜図５と同一部分については同一符号を付している。
【００３２】
図６に示すように、駆動電圧供給手段８は、実施の形態１の場合よりも回路取り付け部材４の内側に入った位置において、取り付け手段１７によって回路取り付け部材４に取り付けられている。また、点灯信号発生手段７は、駆動電圧供給手段８と点灯信号発生手段７とが部分的に重なるように且つ点灯信号発生手段７よりも駆動電圧供給手段８の方が回路取り付け部材４に近づいて位置するように、取り付け手段３３を用いて取り付けられている。取り付け手段１７、３３は銅製であって導電性を有しており、駆動電圧供給手段８のグランドは取り付け手段１７を介して回路取り付け部材４に電気的に接続され、点灯信号発生手段７のグランドは取り付け手段３３、駆動電圧供給手段８のグランド、取り付け手段１７を介して回路取り付け部材４に電気的に接続されている。また、点灯信号発生手段７の出力は信号転送手段１０によって駆動電圧供給手段８に転送され、駆動電圧供給手段８の出力は信号取り出し手段１２によってディスプレイパネル１の電極端子に印加される。なお、点灯信号印加手段５については図３に示したものと同じ構成となっている。
【００３３】
また、図７に示すように、駆動電圧供給手段９は、実施の形態１の場合よりも回路取り付け部材４の内側に入った位置において、取り付け手段２５によって回路取り付け部材４に取り付けられている。また、点灯信号発生手段７は、駆動電圧供給手段９と点灯信号発生手段７とが部分的に重なるように且つ点灯信号発生手段７よりも駆動電圧供給手段９の方が回路取り付け部材４に近づいて位置するように、取り付け手段３４を用いて取り付けられている。取り付け手段２５、３４は銅製であって導電性を有しており、駆動電圧供給手段９のグランドは取り付け手段２５を介して回路取り付け部材４に電気的に接続され、点灯信号発生手段７のグランドは取り付け手段３４、駆動電圧供給手段９のグランド、取り付け手段２５を介して回路取り付け部材４に電気的に接続されている。また、点灯信号発生手段７の出力は信号転送手段１１によって駆動電圧供給手段９に転送され、駆動電圧供給手段９の出力は信号取り出し手段１３によってディスプレイパネル１の電極端子に印加される。なお、点灯信号印加手段６については図４に示したものと同じ構成となっている。
【００３４】
以上のように構成された点灯検査装置を用いてディスプレイパネルの点灯検査を行う際の動作については、実施の形態１で説明した動作と同様である。
【００３５】
上記のような点灯検査装置の構成によれば、図６に示すように駆動電圧供給手段８を配置することによって、信号取り出し手段１２が点灯信号印加手段５の一部と接触しないようにすることができる。そして、駆動電圧供給手段８のグランドと回路取り付け部材４との導通が低インピーダンスの銅製の取り付け手段１７で図られており、駆動電圧供給手段８のグランドインピーダンスを低く抑えることができる。さらに、駆動電圧供給手段８と回路取り付け部材４との距離を製品の場合と同等とすることができ、駆動電圧供給手段８の高圧パルス供給ラインとそのグランドプレーンとの距離が小さく高圧パルス供給ラインのインダクタンスを小さくすることができる。この効果は、同様の構成である図７に示す駆動電圧供給手段９についても得ることができる。このため、製品の場合と同等の印加電圧波形をディスプレイパネル１へ印加して点灯検査を行うことができ、ディスプレイパネルの点灯検査装置において製品時の表示品位を実現することが可能である。これにより、ディスプレイパネルの点灯検査の高精度化が図られ、後の工程への不良パネルの流出が防止でき、製造工程でのロスコストを大幅に低減することができる。
【００３６】
ここで、駆動電圧供給手段８、９と回路取り付け部材４との距離が大きくなると、駆動電圧供給手段８、９の高圧パルス供給ラインのインダクタンスが大きくなることによりディスプレイパネル１に印加する電圧波形に影響を与えるのに対し、点灯信号発生手段７と回路取り付け部材４との距離が大きくなってもディスプレイパネル１に印加する電圧波形に影響を与えることはほとんどない。このため、本実施の形態２では点灯信号発生手段７よりも駆動電圧供給手段８の方が回路取り付け部材４に近づいて位置するように構成しており、これにより、点灯検査を行う際に製品の場合と同等の印加電圧波形をディスプレイパネル１へ印加することができる。
【００３７】
また、本実施の形態２において、取り付け手段１７、２５、３３、３４について各々銅と同等もしくはそれ以下の導電率の材料を用いても同様の効果を得ることができる。
【００３８】
なお、上記の各実施の形態においては、ディスプレイパネル１の１つの角を中心とした両側の辺に対応する２箇所の位置に点灯信号印加手段５、６を配置した例について説明したが、これはディスプレイパネル１の電極端子をどの辺に設けるかによって適宜変更するものであり、点灯信号印加手段５、６は電極端子が配置された各辺に対応して配設される。また、ディスプレイパネル１を回路取り付け部材４上に載置したとき、ディスプレイパネル１の周辺端部に形成された電極端子が、短辺側ではガラス基板の下面側に位置し、長辺側ではガラス基板の上面側に位置する場合を示したが、電極端子が、短辺側ではガラス基板の上面側に位置し、長辺側ではガラス基板の下面側に位置する構成のディスプレイパネルにおいても、その構成に対応するように本発明を適用することにより同様の効果が得られる。さらに、実施の形態１の構成と実施の形態２の構成とを同時に用いるようにしてもよい。すなわち、実施の形態１の構成をディスプレイパネル１の短辺側において使用し、実施の形態２の構成をディスプレイパネル１の長辺側において使用するか、もしくは実施の形態１の構成をディスプレイパネル１の長辺側において使用し、実施の形態２の構成をディスプレイパネル１の短辺側において使用するようにしてもよい。
【産業上の利用可能性】
【００３９】
以上のように、本発明によれば、ディスプレイパネルの点灯検査を行う際に、製品時のディスプレイパネルの表示品位を実現することが可能で、これにより、高精度の点灯検査を行うことができ、プラズマディスプレイパネルなどの点灯検査に用いることができる。
【図面の簡単な説明】
【００４０】
【図１】本発明の実施の形態１におけるディスプレイパネルの点灯検査装置の全体構成を示す斜視図
【図２】同点灯検査装置の回路取り付け部材を背面側から見たときの概略平面図
【図３】本発明の実施の形態１でのディスプレイパネルの短辺側の端部側面を示す図
【図４】本発明の実施の形態１でのディスプレイパネルの長辺側の端部側面を示す図
【図５】不具合が生じるときの点灯検査装置の一部分を示す図
【図６】本発明の実施の形態２でのディスプレイパネルの短辺側の端部側面を示す図
【図７】本発明の実施の形態２でのディスプレイパネルの長辺側の端部側面を示す図
【符号の説明】
【００４１】
１  ディスプレイパネル
４  回路取り付け部材
５、６  点灯信号印加手段
７  点灯信号発生手段
８、９  駆動電圧供給手段
１２、１３  信号取り出し手段
１４  取り付け手段
１５、２３  グランド補助手段
１６、１７、２４、２５、３３、３４  取り付け手段
【図１】
2005114396.tif 000003
【図２】
2005114396.tif 000004
【図３】
2005114396.tif 000005
【図４】
2005114396.tif 000006
【図５】
2005114396.tif 000007
【図６】
2005114396.tif 000008
【図７】
2005114396.tif 000009